(57)【要約】【課題】接着剤を用いず、スリーブの内壁が光ファイバ線の被覆層に密接に接合し、光信号の伝送機能を維持し、電気的特性の損失を防ぐ光ファイバ線の無接着剤コネクタを提供する。【解決手段】心線となる光ファイバと、該光ファイバの外周面を被覆する被覆層と、保護層とによってなり、一端において該光ファイバを露出させた光ファイバ線の一端に接続するコネクタであって、同軸で該光ファイバ線を収納するフェルールと、同軸で該フェルール内に設けられ、かつ一端が該フェルールの一端から外部に露出し、同軸で該光ファイバ線を収納するスリーブとによってなり、該スリーブの外周壁には環状の傾斜壁部を形成し、該光ファイバ線をコネクタ内に完全に挿入し、かつ該スリーブが十分な力を受けると該スリーブが軸方向に移動し、該環状の傾斜壁部が圧縮変形して該光ファイバ線の保護層に緊密に接合するように構成する。【選択図】図４
0003103839.tif 000002
【実用新案登録請求の範囲】
【請求項１】
心線となる光ファイバと、該光ファイバの外周面を被覆する被覆層と、該被覆層の外周面を被覆する保護層とに
よってなり、かつ一端において該光ファイバを露出させてなる光ファイバ線の一端に接続するコネクタであって、
同軸で、該光ファイバ線を収納するフェルールと、同軸で、該フェルール内に設けられ、かつ一端が該フェルールの一端から外部に露出し、同軸で、該光ファイバ線を収納するスリーブとによってなり、
該スリーブの外周壁には環状の傾斜壁部を形成し、該光ファイバ線をコネクタ内に完全に挿入し、かつ該スリーブが十分な力を受けると該スリーブが軸方向に移動し、該環状の傾斜壁部が圧縮変形して該光ファイバ線の保護層に緊密に接合するように構成することを特徴とする光ファイバ線の無接着剤コネクタ。
【請求項２】
前記スリーブに形成する傾斜壁部の内部端と、該スリーブの内壁との間に肉薄部が形成され、該スリーブが圧力を受けて圧縮、変形する場合に、該肉薄部が切断されて該スリーブ内に進入するように構成することを特徴とする請求項1に記載の光ファイバ線の無接着剤コネクタ。
【請求項３】
前記コネクタは、更にグリップ部を具え、該フェルールの一端を該グリップ部に連結し、更に同軸で該光ファイバ線を該グリップ部に収納することを特徴とする請求項1に記載の光ファイバ線の無接着剤コネクタ。
【考案の詳細な説明】
【技術分野】
【０００１】
この考案は、光ファイバ用のコネクタに関し、特に接着剤を使うことなく、光ファイバ線をコネクタに固定する光ファイバ線の無接着剤コネクタに関する。
【背景技術】
【０００２】
光ファイバは直径が短く、帯域が広く、低損失などの多項目にわたる特徴を有する。よって、光ファイバを伝送経路とすることは通信産業の業界においてすでに主流となっている。光ファイバ通信システムの架設は主幹線を伝送の経路とし、該主幹線から複数の支線が分岐し、それぞれの支線によって光信号をユーザ端末に伝送する。
また、支線とそれぞれのユーザ端末との間における光信号の伝送は、光ファイバ線と光ファイバ線とを接続することによって光信号を伝送する距離を延長させることができる。
【０００３】
図1Aに開示するように、光ファイバ線(1)の白由端にはコネクタ(2)を接続し、光信号の伝送距離を状況に応じて延長させる。コネクタ(2)はフェルール(3)と、グリップ部(4)とを含んでなり、フェルール(3)には第1収納孔(5)を形成し、グリップ部(4)には、第2収納孔(6)を形成する。フェルール(3)をグリップ部(4)に嵌挿すると、該第1収納孔(5)と該第2収納孔(6)とが連通する。
【０００４】
光ファイバ線(1)にコネクタ(2)を設ける場合、光ファイバ線(1)の一部被覆層(7)と保護層(8)を除去し、光ファイバ(9)を所定の長さだけ露出させる。また、第1収納孔(5)の末端の一端には、テーパ状開口(10)を形成し、光ファイバ(9)をフェルール(3)の第1収納孔(5)に挿入しやすくする。
【０００５】
光ファイバ線(1)とコネクタ(2)との間は、接着剤(11)で接続する。即ち、光ファイバ(9)を第1収納孔(5)に収納し、保護層(8)を第2収納孔(6)に収納し、接着剤が凝固するのを待って、光ファイバ線(1)にコネクタ(2)を接続する。
【０００６】
適量の接着剤(11)を第1収納孔(5)と第2収納孔(6)内に注入する場合、接着剤(11)に気泡(12)が発生する。このため、保護層(8)の端面をテーパ状開口(10)の底部表面に押し付け、密着させることができなくなる。気泡(12)は、図1Bに開示するように、テーパ状開口(10)内であって、かつ光ファイバ(9)の周囲に集中する。接着剤(11)は環境の測支条件の変化によって熱彰張、収縮が発生する。このため、光ファイバ(9)はかなり大きな膨張係数を受けることになり、光ファイバ(9)が気泡(12)の圧迫を受け、曲がったり、折れたりすることがある。この場合、電気的特性を損失し、信号伝送能力が低下する。かかる問題は改善する必要がある。
【考案の開示】
【考案が解決しようとする課題】
【０００７】
この考案は、接着剤を設けることなく光ファイバ線の保護層と、コネクタのスリーブ内壁表面とが緊密に接合する光ファイバ線の無接着剤コネクタを提供することを課題とする。
【課題を解決するための手段】
【０００８】
そこで、本考案者は従来の技術に見られる欠点に鑑み鋭意研究を重ねた結果、フェルールと、該フェルールに収納されるスリーブとによってなり、該スリーブの外周面に環状の傾斜壁部を形成し、かつ該傾斜壁部を形成することによって肉薄部を同時に形成し、光ファイバ線を収納した後、該スリーブを押し圧し、該肉薄部を切断して該傾斜壁部を圧縮、変形させて光ファイバ線の保護層に緊密に接合するように構成してなる光ファイバ線の無接着剤コネクタの構造によって課題を解決でぎる点に着眼し、かかる知見に基づいて本発明を完成させた。
【０００９】
以下、この考案について具体的に説明する。
請求項1に記載する光ファイバ線の無接着剤コネクタは、心線となる光ファイバと、該光ファイバの外周面を被覆する被覆層と、該被覆層の外周面を被覆する保護層とによってなり、かつ一端において該光ファイバを露出させてなる光ファイバ線の一端に接続するコネクタであって、
同軸で、該光ファイバ線を収納するフェルールと、同軸で、該フェルール内に設けられ、かつ一端が該フェルールの一端から外部に露出し、同軸で、該光ファイバ線を収納するスリーブとによってなり、該スリーブの外周壁には環状の傾斜壁部を形成し、該光ファイバ線をコネクタ内に完全に挿入し、かつ該スリーブが十分な力を受けると該スリーブが軸方向に移動し、該環状の傾斜壁部が圧縮変形して該光ファイバ線の保護層に緊密に接合する。
【００１０】
請求項2に記載する光ファイバ線の無接着剤コネクタは、請求項1におけるスリーブに形成する傾斜壁部の内部端と、該スリーブの内壁との間に肉薄部が形成され、該スリーブが圧力を受けて圧縮、変形する場合に、該肉薄部が切断されて該スリーブ内に進入するように構成する。
【００１１】
請求項3に記載する光ファイバ線の無接着剤コネクタは、請求項1におけるコネクタが、更にグリップ部を具え、該フェルールの一端を該グリップ部に連結し、更に同軸で該光ファイバ線を該グリップ部に収納する。
【考案の効果】
【００１２】
本考案による光ファイバ線の無接着剤コネクタは、接着剤を用いることなく、スリーブの内壁を光ファイバ線の被覆層に密接に接合することができ、光信号の伝送機能を維持し、電気的特性の損失を防ぐという利点がある。
【考案を実施するための最良の形態】
【００１３】
本考案は、接着剤を使うことなく、光ファイバ線をコネクタに固定する光ファイバ線の無接着剤コネクタを提供するものであって、フェルールと、該フェルールに収納されるスリーブとによってなり、該スリーブの外周面に環状の傾斜壁部を形成し、かつ該傾斜壁部を形成することによって肉薄部を同時に形成し、光ファイバ線を収納した後、該スリーブを押し圧し、該肉薄部を切断して該傾斜壁部を圧縮、変形させて光ファイバ線の保護層に緊密に接合するように構成した。
係る構成の光ファイバ線の無接着剤コネクタについて、その構造と特徴を詳述するために具体的な実施例を挙げ、以下に説明する。
【実施例１】
【００１４】
図2Aは、この考案による無接着剤コネクタの断面構造を示した説明図であって、図2Bは、その断面図である。図面によれば、無接着剤コネクタはフェルール(20)と、スリーブ(30)とによってなる。従来の光ファイバ線(50)は、図4に開示するように、単心か、もしくは複数の心線を有する光ファイバ(51)と、光ファイバ(51)の外部表面を被覆する被覆層(52)と、該被覆層(52)の外部表面を被覆する保護層(53)とによってなる。光ファイバ線(50)にコネクタを設ける場合、一端を自由端とし、該自由端の一部被覆層(52)と保護層(53)を除去し、光ファイバ(51)を所定の長さだけ露出させる。
【００１５】
フェルール(20)は軸方向に貫通する第1収納孔(21)を形成し、該第1収納孔(21)の一端を直径の広い第1挿入孔(22)とする。第1収納孔(21)の直径は、光ファイバ線(50)の自由端を挿入できるだけの大きさとし、第1挿入孔(22)の直径は、スリーブ(30)を収納できるだけの大きさにする。
【００１６】
スリーブ(30)は、軸方向に第2収納孔(31)を形成する。該第2収納孔(31)の直径は該第1収納孔(21)の直径に等しく、光ファイバ線(50)の自由端を挿入できるだけの大きさにする。第2収納孔(31)の一端は環状壁(32)を形成し、該環状壁(32)に第2貫通孔(33)を穿設する。第2貫通孔(33)は、図4に開示するように、直径を光ファイバ線(50)の光ファイバが収納できるだけの大きさにする。スリーブ
(30)の直径はフェルール(20)の第1挿入孔(22)に嵌挿できるだけの大きさにする。また、スリーブ(30)の外周壁には環状の傾斜壁部(34)を形成する。即ち、傾斜壁部(34)はスリーブ(30)の外周面に対して傾斜して形成され、傾斜壁部(34)の内部端(35)と、スリーブ(30)の内壁との間に肉薄部(36)が形成される。肉薄部(36)は軸方向の押し圧を受けると応力によって切断される。
【００１７】
コネクタに光ファイバ線(50)の自由端を接続する場合、光ファイバ線(50)をコネクタに同軸に挿入し、露出させた光ファイバ(51)がスリーブ(30)の第２貫通孔(33)内に至るまで延伸させ、被覆層(52)と保護層(53)はそれぞれフェルール(20)の第1収納孔(21)と、スリーブ(30)の第2収納孔(31)内に位置させる。図2Bに開示するように、スリーブ(30)の一端がX方向からの圧力を受けると、傾斜壁部(34)は、図3に開示するように、肉薄部(36)から切断され、内方向に向かい輻射状に圧縮されて変形する。更に、肉薄部(36)の基礎部が内方向に圧縮されて変形し、図4に開示するように、傾斜壁部(34)の部分が光ファイバ線(50)の保護層(53)に対して緊密に接合する。
【実施例２】
【００１８】
図5Aは、第２の実施例による無接着剤コネクタ(図7参照)の断面構造を示した説明図であって、図5Bは、その断面図である。図面によれば、第２の実施例による無接着剤コネクタは、任意の材質を選択してなるグリップ部(40)と、一端が該グリップ部(40)に同軸に連結するフェルール(20)とによってなる。グリップ部(40)は軸方向に貫通する第3収納孔(41)を形成し、該第3収納孔(41)の一端を直径の広い環状の肩部(42)とする。第3収納孔(41)は、フェルール(20)の第1収納孔(21)とスリーブ(30)の第2収納孔(31)に連結し、その直径は光ファイバ線(50)の白由端を挿入できるだけの大きさとし、肩部(42)の直径はフェルール(20)を収納できるだけの大きさとし、フェルール(20)の一端をグリップ部(40)の肩部(42)内に固定する。上述の通り、この考案によるスリーブ(30)は各種形式のコネクタに適用することができる。
【００１９】
コネクタに光ファイバ線(50)の自由端を接続する場合、光ファイバ線(50)をコネクタに同軸に挿入し、露出させた光ファイバ(51)がスリーブ(30)の第２貫通孔(33)内に至るまで延伸させ、被覆層(52)と保護層(53)はそれぞれフェルール(20)の第１収納孔(21)と、スリーブ(30)の第２収納孔(31)と、グリップ部(40)の第３収納孔(41)内に位置させる。図5Bに開示するように、スリーブ(30)の一端がX方向からの圧力を受けると、傾斜壁部(34)は、図6に開示するように、肉薄部(36)から切断され、内方向に向かい輻射状に圧縮されて変形する。更に、肉薄部(36)の基礎部が内方向に圧縮されて変形し、図7に開示するように、傾斜壁部(34)の部分が光ファイバ線(50)の保護層(53)に対して緊密に接合する。
【００２０】
以上をまとめると、この考案におけるスリーブは各種形式のコネクタに応用することができる。軸方向に沿って圧力を加えると、スリーブの環状壁部の肉薄部が切断し、内方向に向かい輻射状に圧縮されて変形し、光ファイバ線の保護層とスリーブの内部表面とが緊密に接合する。コネクタを接続した後は、光ファイバ通信システムに用い、光ファイバを利用した通信の距離を延長させることができるとともに、光信号の伝送を安定させることができる。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１Ａ】従来のコネクタと光ファイバ線とを接続した状態を示した説明図である。
【図１Ｂ】図1Aの一部を拡大した局部拡大説明図である。
【図２Ａ】この考案によるコネクタの構造を示した説明図である。
【図２Ｂ】図2Aに開示するコネクタの断面図である。
【図３】この考案における肉薄部が切断された状態を示した説明図である。
【図４】この考案のコネクタに光ファイバ線を接続した状態を示した説明図である。
【図５Ａ】第2の実施例によるコネクタの構造を示した説明図である。
【図５Ｂ】図5Aに開示するコネクタの断面図である。
【図６】第2の実施例において肉薄部が切断された状態を示した説明図である。
【図７】第2の実施例によるコネクタに光ファイバ線を接続した状態を示した説明図である。
【符号の説明】
【００２３】
１  光フアイバ線
２  コネクタ
３  フェルール
４  グリップ部
５  第１収納孔
６  第２収納孔
７  被覆層
８  保護層
９  光ファイバ
１０  テーパ状開口
１１  接着剤
１２  気泡
２０  フェルール
２１  第１収納孔
２２  第１挿入孔
３０  スリーブ
３１  第２収納孔
３２  環状壁
３３  第２貫通孔
３４  傾斜壁部
３５  内部端
３６  肉薄部
４０  グリップ部
４１  第３収納孔
４２  肩部
５０  光ファイバ線
５１  光ファイバ
５２  被覆層
５３  保護層
【図１Ａ】
0003103839.tif 000003
【図１Ｂ】
0003103839.tif 000004
【図２Ａ】
0003103839.tif 000005
【図２Ｂ】
0003103839.tif 000006
【図３】
0003103839.tif 000007
【図４】
0003103839.tif 000008
【図５Ａ】
0003103839.tif 000009
【図５Ｂ】
0003103839.tif 000010
【図６】
0003103839.tif 000011
【図７】
0003103839.tif 000012